(57)【特許請求の範囲】
【請求項１】
制御可能な相関色温度の実質的な白色光を放射するための照明アセンブリであって、前記照明アセンブリは複数の光源のグループとコントローラとを備え、
前記光源のグループの各グループが第１の光源、第２の光源、及び第３の光源を備え、
前記第１の光源は、第１のカラーポイント及び第１の相関色温度を有する第１の光を放射するためのものであり、前記第１のカラーポイントは黒体線から７ＳＤＣＭ以内にあり、前記第１の相関色温度は５０００ケルビンよりも大きく、
前記第２の光源は、第２のカラーポイント及び第２の相関色温度を有する第２の光を放射するためのものであり、前記第２のカラーポイントは前記黒体線から７ＳＤＣＭ以内にあり、前記第２の相関色温度は２２５０ケルビンよりも小さく、
前記第３の光源は緑色をおびた光を放射するためのものであり、前記緑色をおびた光は半空間ｙ＞＝１．０４ｘとｙ＞＝−０．０６９４ｘ＋０．４５２５の共通部分内部のＣＩＥ１９３１ＸＹＺ色空間内に第３のカラーポイントを有し、各第３の光源は所定の標準動作条件の下で固有の最大光束を放射することができ、個々の第３の光源それぞれの前記固有の最大光束は前記複数のグループの全ての第３の光源の平均最大光束から最大で３５％ずれ、前記第３の光源のうちの少なくとも１つの前記固有の最大光束は前記平均最大光束から１０％より多くずれており、
前記コントローラは、前記第１の光源を制御するための第１の制御信号、前記第２の光源を制御するための第２の制御信号、及び前記第３の光源を制御するための第３の制御信号を生成するためのものであり、前記第１の制御信号、前記第２の制御信号、及び前記第３の制御信号は、それぞれ前記第１の光源、前記第２の光源、及び前記第３の光源により放射されるべき光の量を指示し、前記コントローラは前記第１、第２及び第３の制御信号を生成して前記第１の光、前記第２の光及び前記緑色をおびた光を含む合成発光を使用時に取得し、前記合成発光は前記黒体線の近くに制御可能なカラーポイントを有する、照明アセンブリ。
【請求項２】
前記第３の光源のうちのそれぞれが、ｉ）緑色を放射する固体発光体ダイ及びｉｉ）発光材料を備える固体発光体のうちの１つを備え、前記発光材料は、前記固体発光体により放射される光の一部を別の色の光に変換し、前記緑色をおびた光は、前記固体発光体により放射される光の別の部分と、前記発光材料により放射される前記別の色の光との合成である、請求項１に記載の照明アセンブリ。
【請求項３】
前記ＣＩＥ１９３１ＸＹＺ色空間内の、前記第３の光源の前記第３のカラーポイントは、
角がカラーポイント（ｘ、ｙ）＝（０．１２９、０．７４０）、（ｘ、ｙ）＝（０．２３８、０．７４０）、（ｘ、ｙ）＝（０．２４３、０．７００）、及び（ｘ、ｙ）＝（０．１４６、０．６９６）であるポリゴンによって規定される第１の領域、
角がカラーポイント（ｘ、ｙ）＝（０．３８２、０．５０６）、（ｘ、ｙ）＝（０．３９７、０．４９９）、（ｘ、ｙ）＝（０．４３４、０．５６７）、及び（ｘ、ｙ）＝（０．４２１、０．５８２）であるポリゴンによって規定される第２の領域、
角がカラーポイント（ｘ、ｙ）＝（０．３８８、０．４９６）、（ｘ、ｙ）＝（０．４０１、０．４８７）、（ｘ、ｙ）＝（０．３６５、０．４１５）、及び（ｘ、ｙ）＝（０．３５０、０．４２０）であるポリゴンによって規定される第３の領域、
のうちの１つの内部にある、請求項１又は２に記載の照明アセンブリ。
【請求項４】
前記複数のグループのうちの個々のグループについて、前記所定の標準動作条件の下で、特定のグループの前記第３の光源により放射されることができる最大光束は、前記所定の標準動作条件の下で前記特定のグループの前記第１の光源と前記特定のグループの前記第２の光源とにより放射されることができる前記最大光束の合計の５０パーセントよりも小さい、請求項１乃至３の何れか一項に記載の照明アセンブリ。
【請求項５】
前記第１の光源及び前記第２の光源のうちの少なくとも１つが固体発光体を備える、請求項１乃至４の何れか一項に記載の照明アセンブリ。
【請求項６】
前記第１の光源は第１の発光材料を含み、及び／又は前記第２の光源は第２の発光材料を含み、前記第１の発光材料は前記第１の光源の発光体により放射される光の一部を第１の他の色の光に変換し、前記第１の光は前記第１の光源の前記発光体により放射される光の別の部分と前記第１の発光材料により放射される前記第１の他の色の光との合成であり、前記第２の発光材料は前記第２の光源の発光体により放射される光の一部を第２の他の色の光に変換し、前記第２の光は前記第２の光源の前記発光体により放射される光の別の部分と前記第２の発光材料により放射される前記第２の他の色の光との合成である、請求項１乃至５の何れか一項に記載の照明アセンブリ。
【請求項７】
各第１の光源は前記所定の標準動作条件の下で更なる固有の最大光束を放射することができ、個々の第１の光源のそれぞれの前記更なる固有の最大光束は、前記複数のグループの全ての第１の光源の更なる平均光束から最大で２０％ずれており、前記第１の光源のうちの少なくとも１つの前記更なる固有の最大光束は、前記更なる平均最大光束から７．５％より多くずれている、請求項１乃至６の何れか一項に記載の照明アセンブリ。
【請求項８】
各第２の光源は前記所定の標準動作条件の下で別の固有の最大光束を放射することができ、個々の第２の光源のそれぞれの前記別の固有の最大光束は、前記複数のグループの全ての第２の光源の別の平均光束から最大で２０％ずれており、前記第２の光源のうちの少なくとも１つの前記別の固有の最大光束は、前記別の平均最大光束から７．５％より多くずれている、請求項１乃至７の何れか一項に記載の照明アセンブリ。
【請求項９】
前記光源が固体光源を含む、請求項１乃至８の何れか一項に記載の照明アセンブリを備える、ＬＥＤストリップ。
【請求項１０】
前記光源が可撓性のあるストリップ状の支持体上に設けられている、請求項９に記載のＬＥＤストリップ。
【請求項１１】
請求項１乃至８の何れか一項に記載の照明アセンブリ、又は請求項９若しくは１０に記載のＬＥＤストリップを備える、照明器具。
【請求項１２】
前記照明器具は複数の空間的に離れた位置から光を放射し、前記複数の空間的に離れた位置に光源の１つのグループが設けられる、請求項１１に記載の照明器具。
【請求項１３】
それぞれが第１の光源、第２の光源、及び第３の光源を含む、複数の光源グループを備える照明アセンブリを製造する方法であって、前記方法は、
第１の光源のセットを受け取るステップであって、前記第１の光源は第１のカラーポイント及び第１の相関色温度を有する第１の光を放射し、前記第１のカラーポイントは黒体線から７ＳＤＣＭ以内にあり、前記第１の相関色温度は５０００ケルビンよりも高い、ステップと、
第２の光源のセットを受け取るステップであって、前記第２の光源は第２のカラーポイント及び第２の相関色温度を有する第２の光を放射し、前記第２のカラーポイントは黒体線から７ＳＤＣＭ以内にあり、前記第２の相関色温度は２２５０ケルビンよりも低い、ステップと、
第３の光源のセットを受け取るステップであって、前記第３の光源は半空間ｙ＞＝１．０４ｘとｙ＞＝−０．０６９４ｘ＋０．４５２５との共通部分内部のＣＩＥ１９３１ＸＹＺ色空間内に第３のカラーポイントを有する緑色をおびた光を放射し、各第３の光源は所定の標準動作条件の下で固有の最大光束を放射することができ、個々の第３の光源それぞれの前記固有の最大光束は前記第３の光源のセットの全ての前記第３の光源の平均最大光束から最大で３５％ずれており、前記第３の光源のうちの少なくとも１つの前記固有の最大光束は前記平均最大光束から１０％より多くずれている、ステップと、
光源のグループを形成するステップであって、各グループは、前記第１の光源のセットのうちの第１の光源と、第２の光源の前記セットのうちの第２の光源と、前記光源のグループのうちの第３の光源とを備える、ステップと、
−  前記光源のグループを前記照明アセンブリに組み立てるステップと
−  コントローラを前記照明アセンブリに組み込み、前記コントローラを前記光源のグループの前記光源に結合するステップであって、前記コントローラは前記第１の光源を制御するための第１の制御信号、前記第２の光源を制御するための第２の制御信号、及び前記第３の光源を制御するための第３の制御信号を生成し、前記第１の制御信号、前記第２の制御信号、及び前記第３の制御信号は、それぞれ前記第１の光源、前記第２の光源、及び前記第３の光源により放射されるべき光の量を指示し、前記コントローラは前記第１、第２及び第３の制御信号を生成して前記第１の光、前記第２の光、及び前記緑色をおびた光を含む合成発光を使用時に取得し、前記合成発光は前記黒体線に近い制御可能なカラーポイントを有しかつ相関色を有する、ステップと、を含む、方法。
【発明の詳細な説明】
【技術分野】
【０００１】
本発明は、制御可能な相関色温度の実質的な白色光を放射するための照明アセンブリと、ＬＥＤストリップと、照明器具と、照明アセンブリを製造するための方法とに関する。
【背景技術】
【０００２】
参照により組み込まれる、公開された米国特許出願第２００８／０２３８３３５Ａ１号は、１つの特定の実施形態において、３つの発光ダイオード（ＬＥＤ）を含む固体光源と、この３つのＬＥＤの発光を制御するコントローラと、光検出器とについて開示している。これらＬＥＤのうちの２つは同じタイプの青色発光ＬＥＤダイを含み、それらは両方とも同じタイプの（黄色に発光する）発光材料を含むが、量は別々である。これら２つのＬＥＤは両方とも、黒体線からそれ程離れていないカラーポイントを有する−２つのカラーポイントのうちの一方は黒体線よりも上方にあり、２つのカラーポイントのうちの他方は黒体線よりも下方にある。第３のＬＥＤは、緑色の光を放射するように構成される。この明細書は、第３のＬＥＤの発光が、ＬＥＤダイにより放射される光と１つ又は複数の発光材料の合成であることを開示している。コントローラは、固体光源により放射される光の特性を示す信号を、光検出器から受信する。続いて、コントローラは、ＬＥＤの個々の発光を制御して、黒体線上の予め決められた又は制御可能なポイントである、固体光源による要求された発光を得る。
【０００３】
引用された特許出願の実施形態の欠点は、カラーポイントを黒体線に近づけさせるこれら２つのＬＥＤのカラーポイントが、青色発光ＬＥＤダイのカラーポイントと特定の発光材料により放射される光のカラーポイントとの間の線上にあるということである。そのような状況では、２つのＬＥＤを、それらのカラーポイントが黒体線に近くなるように、かつ、固体光源により広範囲の相関色温度が放射されることができるように、選択することが不可能である。従って、黒体線のほんのわずかの一部のみが、３つの全てのＬＥＤのカラーポイントにより規定される三角形の内部にある。また、２つのＬＥＤのうちの片方のカラーポイントの１つが黒体線より上方にあるという事実は、黒体線の比較的に小さな部分しか、３つの全てのＬＥＤのカラーポイントにより規定される三角形の内部にないという事実に寄与する。
【発明の概要】
【発明が解決しようとする課題】
【０００４】
本発明の目的は、比較的に広範囲の相関色温度に沿って黒体線の近くにカラーポイントを有する光を放射することができる、照明アセンブリを提供することである。
【課題を解決するための手段】
【０００５】
本発明の一態様は、制御可能な相関色温度の実質的な白色光を放射するための照明アセンブリを提供する。本発明の他の態様は、ＬＥＤストリップ、照明器具、及び照明アセンブリの製造方法を提供する。有利な実施形態が、従属請求項に規定されている。
【０００６】
本発明の態様に従った、制御可能な相関色温度の実質的な白色光を放射するための照明アセンブリは、複数の光源のグループ及びコントローラを備える。光源の各グループは、第１の光源、第２の光源、及び第３の光源を備える。第１の光源は、第１のカラーポイントと第１の相関色温度とを有する第１の光を放射するためのものである。第１のカラーポイントは、黒体線から７ＳＤＣＭ以内にある。第１の相関色温度は、５０００ケルビンよりも大きい。第２の光源は、第２のカラーポイントと第２の相関色温度とを有する第２の光を放射するためのものである。第２のカラーポイントは、黒体線から７ＳＤＣＭ以内にある。第２の相関色温度は、２２５０ケルビンよりも小さい。第３の光源は、緑色をおびた光を放射するためのものである。緑色をおびた光は、半空間ｙ＞＝１．０４ｘとｙ＞＝−０．０６９４ｘ＋０．４５２５との共通部分内の、ＣＩＥ１９３１ＸＹＺ色空間内に、第３のカラーポイントを有する。各第３の光源は、所定の標準動作条件の下で、固有の最大光束を放射することができる。個々の第３の光源のそれぞれの固有の最大光束は、複数のグループの全ての第３の光源の平均最大光束から最大で３５％ずれており、複数の第３の光源のうちの少なくとも１つの固有の最大光束は、平均最大光束から１０％より多くずれる。コントローラは、前述の光源に対する第１の制御信号、第２の制御信号、及び第３の制御信号を生成するためのものである。複数のグループの第１の光源が、第１の制御信号により制御される。複数のグループの第２の光源が、第２の制御信号により制御される。複数のグループの第３の光源が、第３の制御信号により制御される。第１の制御信号、第２の制御信号、及び第３の制御信号は、それぞれ、第１の光源、第２の光源、及び第３の光源により放射されるべき光の量を指示する。コントローラは、前述のそれぞれの制御信号を生成して、第１の光、第２の光、及び第３の光を含む合成された発光を使用時に得るように構成される。合成された発光は、黒体線の近くに制御可能なカラーポイントを有する。
【０００７】
第１の光源及び第２の光源のカラーポイントは、比較的に広い相関色温度範囲に沿って互いに離間している。続いて第３の光源がＣＩＥ１９３１ＸＹＺ色空間の主張された領域内にカラーポイントを有する場合には、それぞれのカラーポイントを結ぶ三角形が比較的に大きくなり、黒体線の大部分がこの三角形の内部に入る。このように、合成された発光が黒体線の近くにカラーポイントを有するように、コントローラが光源を制御して光を放射すると、照明アセンブリによって、比較的に大きな範囲の相関色温度に沿って、実質的な白色光が放射されることができる。光源アセンブリにより放射され得る相関色温度の範囲は、第１の相関色温度から第２の相関色温度までの範囲と実質的に等しい。
【０００８】
製造業者は一般的に、第３の光源の生産中に、第３の光源の最大光束において比較的に大きな偏差を得る。殆どの用途では、最大光束のそのような大きな偏差は許容できない、というのも、それは目に見える色の兆候又は目に見える色の違いにつながり得るからである−従来、製造された第３の光源は、試験され、データ区間毎にそのデータ区間の第３の光源により放射される最大光束が比較的に低い分布になるようなデータ区間に区分けされる。本発明者らは、第３の光源の固有の最大光束が、例えば、使用される全ての第３の光源の平均から３５％未満など、互いに相当に乖離している場合に、全てのグループの光源を制御するために単一のコントローラを使用することにより、各グループが依然として、黒体線に近いカラーポイントを有する合成された光を放射することを、発見した。各グループのカラーポイントは、黒体線から少なくとも１５ＳＤＣＭ以内にあり、更には黒体線から５ＳＤＣＭ以内にある場合もあることが、シミュレーションにより証明されている。従って、人間の裸眼は、実質的な白色光として、各グループにより放射される光を知覚する。従って、本発明者らは、第３の光源を区分けする必要がないこと、又は、少なくとも、第３の光源を非常に多数の区間に区分けする必要がないことを発見した。これにより、この任意選択的な実施形態に従って照明アセンブリを製造する場合、より安価な第３の光源が使用されることができ、従って、照明アセンブリの製造コストが低減される。特に、第３の光源が先に議論した緑色光を放射する場合には、この比較的に大きな最大光束の変動は許容されることができる。
【０００９】
第３の光源は、それらのカラーポイントに変動があってもよい。後に述べる任意選択の実施形態のうちの１つでは、カラーポイントが配置されることができる色空間の領域が示される。カラーポイントに関しては、コントローラは、製造業者により示された平均のカラーポイントのみを知っている。任意選択的に、第３の光源のカラーポイントは、例えば、ＣＩＥ  ＸＹＺ色空間において特定のカラーポイントの周りの５ＳＤＣＭの領域内などに僅かにずれていてもよい。続いて、コントローラは、個々の第３の光源のそれぞれの各カラーポイントではなく、この特定のカラーポイントについての知識を有する。
【００１０】
別の利点は、第１の光源及び第２の光源の発光が、比較的に多数の波長の光エネルギーを含み、従って、合成された発光が比較的に大きな演色評価数（ＣＲＩ：Color Rending Index）を有することである。
【００１１】
議論された光源の仕様が与えられると、その仕様を満足する光源を見つけることは、比較的に容易である。今日では、そのような光源の多くの実施形態が、比較的に安価で市場で購入されることができる。従って、照明アセンブリは、比較的に費用対効果高く、製造されることができる。
【００１２】
コントローラは、第１の光源、第２の光源、及び第３の光源により放射される光のカラーポイントについての知識を有する。コントローラは、所定の正常／標準動作条件の下で動作するときに、これらの光源の（平均）最大光束が幾らであるかも知っている。この情報はコントローラのメモリに記憶されてもよく、この情報をコントローラにより使用して制御信号を決定する。カラーポイント、最大光束、及び要求された制御可能なカラーポイントに関する知識に基づいて光源を制御することができる、既知の制御技術が使用されてもよい。制御信号は、例えば、それぞれの制御された光源がそれらの最大光束の特定のパーセンテージで光を放射しなくてはならないことを指示する−そのような情報は、光源がパルス幅変調技術により駆動される場合にはデューティサイクル値として表現されてもよい。制御信号は、光源を駆動する駆動回路に供給されるアナログ信号又はデジタル信号であり得る。コントローラが光源を駆動するのに十分に強力な信号を生成することができる場合には、制御信号は、光源に直接的に供給されてもよい。コントローラは、要求された制御可能なカラーポイントについての情報を受け取るための入力を有してもよい。コントローラが、どの要求された相関色温度で光が放射されなくてはならないかを知っている場合には、第１の光と第２の光との間の特定の比率が決定されて、要求された相関色温度を有する黒体線上のカラーポイントに近い、第１のカラーポイントと第２のカラーポイントとの間の線上の合成されたカラーポイントを有する発光を得る。線上の合成されたカラーポイントは、殆どの場合、黒体線よりはるかに下方になる。続いて、コントローラは、合成された発光のカラーポイントを黒体線に向かって移動させるために、幾らの量の緑色光が放射されなくてはならないかを決定する。
【００１３】
コントローラは、第３の光源のそれぞれが標準動作条件の下でどれだけの量の緑色をおびた光を最大で放射することができるかを正確には知らないことに、留意されたい。コントローラは、第３の光源の適用されたタイプについての平均最大光束として製造業者により提供された値を、内部メモリに記憶している。換言すると、個々の第３の光源が、平均最大光束からずれた固有の最大光束を有する場合、コントローラは、平均最大光束についての知識のみを有し、個々の第３の光源の固有の最大光束についての知識は有さない。個々の第３の光源のそれぞれの固有の最大光束は、製造業者により供給されるこの平均値から最大で３５％ずれる。
【００１４】
上述の照明アセンブリは、実質的な白色光を放射することができることに留意されたい。実質的な白色光とは、この光が黒体線に近いカラーポイントを有すること−少なくとも、カラーポイントが黒体線に十分に近いので人間の裸眼はこの光を白色光として知覚し、この実質的な白色光中に色の兆候を知覚しないことを意味する。従って、合成された発光のカラーポイントは、黒体線から１５ＳＤＣＭ（等色標準偏差（Standard Deviation Color Matching））以内、好ましくは黒体線から１０ＳＤＣＭ以内、より好ましくは黒体線から５ＳＤＣＭ以内にあることを意味する。
【００１５】
所定の標準動作条件は、例えば、光源に供給されるべき所定の電圧、又は所定の電流を含み、また所定の標準動作条件は、周囲温度及び光源に結合された冷却手段に関する条件を含むことがある。
【００１６】
任意選択的に、第１のカラーポイントは、黒体線から５ＳＤＣＭ以内にある。任意選択的に、第１のカラーポイントは、黒体線から４ＳＤＣＭ以内にある。任意選択的に、第２のカラーポイントは、黒体線から５ＳＤＣＭ以内にある。任意選択的に、第２のカラーポイントは、黒体線から４ＳＤＣＭ以内にある。これらの任意選択的な実施形態は、第１のカラーポイントと第２のカラーポイントと第３のカラーポイントとの間の三角形が、黒体線の比較的に大部分がこの三角形の内部にあるように色空間の内部の位置を有することを、確実にする。結果として、照明アセンブリは、それぞれの光源を最適に使用して、比較的に広範囲の相関色温度の内部で実質的な白色光を放射することができる。任意選択的に、第２のカラーポイントは黒体線から３ＳＤＣＭ以内にあり、ほぼ黒体線上にあるカラーポイントを結果として生ずる。
【００１７】
任意選択的に、第１の相関色温度は６０００ケルビン以上である。任意選択的に、第１の相関色温度は６５００ケルビン以上である。任意選択的に、第１の相関色温度は１００，０００ケルビン以下である。任意選択的に、第１の相関色温度は５０，０００ケルビン以下である。任意選択的に、第２の相関色温度は２１００ケルビン以下である。任意選択的に、第２の相関色温度は２０００ケルビン以下である。任意選択的に、第２の相関色温度は１０００ケルビン以上である。これらの任意選択的な実施形態は、照明アセンブリが光を放射することができるより広範囲の相関色温度に寄与する。
【００１８】
任意選択的に、個々の第３の光源のそれぞれの固有の最大光束は、複数のグループの全ての第３の光源の平均最大光束から、最大で２５％ずれる。任意選択的に、個々の第３の光源のそれぞれの固有の最大光束は、複数のグループの全ての第３の光源の平均最大光束から、最大で１５％ずれる。これらの任意選択的な実施形態は、グループ毎に、放射される光がより等しくなるという事実に寄与する。
【００１９】
任意選択的に、第３の光源のうちの少なくとも１つの固有の最大光束は、平均最大光束から１４％より大きくずれる。
【００２０】
任意選択的に、第３の光源の各々は、緑色を発光する固体発光体ダイ、及び発光材料を備えた固体発光体、のうちの１つを含む。第３の光源の第２の実施形態に関して、発光材料は、固体発光体により放射される光の一部を別の色の光に変換するように構成される−結果として、緑色をおびた光は、固体発光体により放射される光の別の部分と、発光材料により放射される別の色の光との合成になる。そのような第３の光源により、第３のカラーポイントを有する緑色をおびた光を放射することは比較的に容易である。発光材料を伴う実施形態に関しては、発光材料は単一の発光材料であってもよいが、発光材料の混合物であってもよいことに、留意されたい。発光材料は、固体発光体の上部に直接的に設けられてもよく、又は、固体発光体から少し離れて配置されてもよい。固体発光体は、例えば、青色の光を放射することでもよく、この青色の光の一部が発光材料により緑色及び／又は黄色を有する光に変換され、その結果、変換されていない青色の光が緑色及び／又は黄色の光と組み合わされて合成された発光が、第３のカラーポイントを有する。任意選択的に、全ての第３の光源が、上述した選択肢のうちの同じものを含む。
【００２１】
緑色に発光する固体発光体ダイにより放射される緑色光のカラーポイントは、カラーポイント（ｘ、ｙ）＝（０．１６１、０．７１５）の周りの領域内に位置してもよい。そのような緑色に発光する固体発光体ダイが使用されると、合成される発光のために、黒体線上の又は黒体線に近いカラーポイントを得るために、第３の光源により僅かの光束のみが放射される必要がある。従って、（要求された）制御可能なカラーポイントを得るために第１の光源及び第２の光源の発光に加えて使用されるエネルギー量は、比較的に低くなる。従って、第３の光源は比較的に安価である場合がある、というのも、第３の光源が大きな光束を放射できることが必要とされていないからである。
【００２２】
今日では、ライム色の光を放射する多数の光源が市場で入手可能である−そのような光源は、しばしば、青色発光ＬＥＤと、青色発光ＬＥＤにより放射される全ての青色光を変換する１つ又は２つの発光材料と、に基づいている。ライム色の光は、カラーポイント（ｘ、ｙ）＝（０．４０８、０．５３８）の周りの領域内にカラーポイントを有する。また、緑色の兆候を有する僅かにオフホワイトの光を放射する多数の他のタイプの光源も利用可能である。そのような緑色をおびたオフホワイトの光源は、しばしば、青色光の一部のみを変換する１つ又は複数の発光材料と組み合わせた青色発光ＬＥＤに基づいている−使用される発光材料は、しばしばライム色を発する光源で使用される材料と同じであるが、別の量が適用されている。オフホワイトの光源の典型的なカラーポイントは、カラーポイント（ｘ、ｙ）＝（０．３７６、０．４５４）の周りの領域内にある。ライム色を発する光源を使用すること、又はオフホワイトの発光光源を使用することの利点は、それらの発光スペクトルが比較的に多数の波長の光を有し、従って、そのような光源は合成された発光のより大きなＣＲＩに寄与することができることである。
【００２３】
個々の第３の光源は、複数の緑色を発する固体発光体ダイ若しくは発光材料を備えた複数の固体発光体を含んでもよく、又は、第３の光源はそれら両方の組み合わせを含んでもよいことに、留意されたい。
【００２４】
任意選択的に、ＣＩＥ１９３１ＸＹＺ色空間における第３の光源の第３のカラーポイントは、以下の領域のうちの１つの内部にある。
−  角がカラーポイント（ｘ、ｙ）＝（０．１２９、０．７４０）、（ｘ、ｙ）＝（０．２３８、０．７４０）、（ｘ、ｙ）＝（０．２４３、０．７００）、及び（ｘ、ｙ）＝（０．１４６、０．６９６）であるポリゴンによって規定される第１の領域。
−  角がカラーポイント（ｘ、ｙ）＝（０．３８２、０．５０６）、（ｘ、ｙ）＝（０．３９７、０．４９９）、（ｘ、ｙ）＝（０．４３４、０．５６７）、及び（ｘ、ｙ）＝（０．４２１、０．５８２）であるポリゴンによって規定される第２の領域。
−  角がカラーポイント（ｘ、ｙ）＝（０．３８８、０．４９６）、（ｘ、ｙ）＝（０．４０１、０．４８７）、（ｘ、ｙ）＝（０．３６５、０．４１５）、及び（ｘ、ｙ）＝（０．３５０、０．４２０）であるポリゴンによって規定される第３の領域。
第１の領域は、緑色を発光する固体発光体ダイにより放射される光に関係する。第２の領域は、ライム色の光を放射する第３の光源に関係する。第３の領域は、緑色をおびたオフホワイトの光を放射する第３の光源に関係する。任意選択的に、全ての第３の光源が、上述した第１の領域、第２の領域、及び第３の領域から選択された同一の領域内にカラーポイントを有する。
【００２５】
任意選択的に、複数のグループのうちの個々のグループについて、所定の標準動作条件の下で、特定のグループの第３の光源により放射されることができる最大光束は、所定の標準動作条件の下でこの特定のグループの第１の光源とこの特定のグループの第２の光源とにより放射されることができる最大光束の合計の５０％よりも小さい。従って、第３の光源は非常に強力である必要はなく、例えば光源が複数の固体発光体を備える場合、第３の光源中には比較的に少数の固体発光体が使用されなくてはならない。この任意選択的な実施形態は、第３の光源に係る全ての前述した実施形態に関係する。
【００２６】
任意選択的に、複数のグループのうちの個々のグループについて、所定の標準動作条件の下で、特定のグループの第３の光源により放射されることができる最大光束は、所定の標準動作条件の下でこの特定のグループの第１の光源とこの特定のグループの第２の光源とにより放射されることができる最大光束の合計の３５％よりも小さい。この任意選択的な実施形態は、ライム色の光を放射するか、又は緑色を発光する固体発光体ダイを備える、前述した第３の光源に主として関係する。
【００２７】
任意選択的に、複数のグループのうちの個々のグループについて、所定の標準動作条件の下で、特定のグループの第３の光源により放射されることができる最大光束は、所定の標準動作条件の下でこの特定のグループの第１の光源とこの特定のグループの第２の光源とにより放射されることができる最大光束の合計の２０％よりも小さい。この任意選択的な実施形態は、緑色を発光する固体発光体ダイを備える前述した第３の光源に主として関係する。
【００２８】
任意選択的に、第１の光源及び第２の光源のうちの少なくとも１つが、固体発光体を備える。任意選択的に、第１の光源及び第２の光源の両方が、固体発光体を備える。任意選択的に、第１の光源及び第２の光源のうちの少なくとも１つが、複数の固体光源を備える。任意選択的に、異なる光源で使用される固体発光体が、同じタイプの固体発光体であってもよく、例えば、異なる組成の発光材料が、異なる光源のために異なる発光を得るために使用される。固体発光体の例としては、発光ダイオード（ＬＥＤ）、有機発光ダイオード（ＯＬＥＤ）、又は、例えばレーザーダイオードがある。実施形態によっては、固体光源は、例えば、４４０〜４６０ｎｍの波長範囲の基本の（青色の）光を放射する、ＧａＮまたはＩｎＧａＮベースのＬＥＤなどの、青色発光ＬＥＤである場合がある。そのような青色光の一部は、その後、発光材料により、より高い波長の光に変換されることがある。或いは、固体光源は、ＵＶ又は紫色光を放射することでもよく、この光は続いて１つ又は複数の発光材料により、より長い波長の光に変換される。
【００２９】
任意選択的に、第１の光源が第１の発光材料を含み、かつ／又は第２の光源が第２の発光材料を含む。第１の発光材料は、第１の光源の発光体により放射された光の一部を、第１の他の色の光に変換するように構成され、第１の光は、第１の光源の発光体により放射される光の別の部分と、第１の発光材料により放射される第１の他の色の光との合成になる。第２の発光材料は、第２の光源の発光体により放射された光の一部を、第２の他の色の光に変換するように構成され、第２の光は、第２の光源の発光体により放射される光の別の部分と、第２の発光材料により放射される第２の他の色の光との合成になる。第１の発光材料及び第２の発光材料は、単一の発光化合物であるが、異なる発光化合物の混合物であってもよい。第１の発光材料は、第２の発光材料と等しくてもよいが、（それぞれの光源が放射する光の量に対して）異なる相対量で適用されてもよい。第１の発光材料は、第２の発光材料とは異なる組成を有してもよい。発光材料の組成及び量は、光源により放射される光のカラーポイントが、上述したようなカラーポイント及び相関色温度を有するように、光源内の特定の発光体の選択と組み合わせて注意深く選択される。照明アセンブリで使用するための、発光材料の特定の混合物と組み合わせたＬＥＤに基づく幾つかの光源が、市販で利用可能である。
【００３０】
任意選択的に、各第１の光源は、所定の標準動作条件の下で、更なる固有の最大光束を放射することができる。個々の第１の光源のそれぞれのこの更なる固有の最大光束は、複数のグループの全ての第１の光源の更なる平均光束から、最大で２０％ずれる。第１の光源のうちの少なくとも１つのこの更なる固有の最大光束は、更なる平均最大光束から７．５％より大きくずれる。従って、この任意選択的な実施形態に従った照明アセンブリでは、照明アセンブリに組み込まれる前に第１の光源を区分けする必要はなく、比較的に大きな製造変動が許容され得る。任意選択的に、個々の第１の光源のそれぞれの更なる固有の最大光束は、複数のグループの全ての第１の光源の更なる平均光束から、最大で１５％ずれる。任意選択的に、第１の光源のうちの少なくとも１つの更なる固有の最大光束は、更なる平均最大光束から１０％より大きくずれる。第３の光源のコンテキストにおける議論に沿うと、コントローラは、個々の第１の光源のそれぞれの正確なパラメータについての知識はなく、各パラメータの平均についての知識のみを有する。
【００３１】
任意選択的に、各第２の光源は、所定の標準動作条件の下で、別の固有の最大光束を放射することができる。個々の第２の光源のそれぞれのこの別の固有の最大光束は、複数のグループの全ての第２の光源の別の平均光束から、最大で２０％ずれる。第２の光源のうちの少なくとも１つのこの別の固有の最大光束は、別の平均最大光束から７．５％より大きくずれる。従って、この任意選択的な実施形態に従った照明アセンブリでは、照明アセンブリに組み込まれる前に第２の光源を区分けする必要はなく、第２の光源に対して比較的に大きな製造変動が許容され得る。任意選択的に、個々の第２の光源のそれぞれの更なる固有の最大光束は、複数のグループの全ての第２の光源の更なる平均光束から、最大で１５％ずれる。任意選択的に、第２の光源のうちの少なくとも１つの別の固有の最大光束は、別の平均最大光束から１０％より大きくずれる。第２の光源のコンテキストにおける議論に沿うと、コントローラは、個々の第２の光源のそれぞれの正確なパラメータについての知識はなく、各パラメータの平均についての知識のみを有する。
【００３２】
本発明の別の態様に従うと、照明アセンブリの上述した実施形態に従った照明アセンブリを備えるＬＥＤストリップが提供される。任意選択的に、第１の光源、第２の光源、及び第３の光源は発光ダイオード（ＬＥＤ）である。この任意選択的な実施形態のＬＥＤストリップは、より効率的に製造されることができる、というのも、ＬＥＤストリップで使用される光源が、ＬＥＤストリップに組み込まれる前に区分けされる必要がないからである。更に、ＬＥＤストリップはしばしば、互いに結合されてＬＥＤを有するより長いストリップを形成するように構成される。本発明者らは、例えば、特定の製造バッチからのＬＥＤを用いて製造されたＬＥＤストリップが、別の製造バッチからのＬＥＤを用いて製造された別のＬＥＤストリップと組み合わされることができるように、ＬＥＤストリップ間で、光源間の製造変動が許容され得ることを発見した。ＬＥＤストリップは、少なくとも細長い形状を有し、第１、第２、及び第３の光源の複数のグループを含み、かつコントローラを備えることに留意されたい。
【００３３】
本発明の別の態様に従ったＬＥＤストリップは、本発明の第１の態様に従った照明アセンブリと同じ利点を提供し、照明アセンブリの対応する実施形態と類似の効果を有する類似の実施形態を有する。
【００３４】
任意選択的に、ＬＥＤストリップの光源は、可撓性のあるストリップ状の支持体上に設けられる。ストリップ状とは、細長い形状を有することを意味する。可撓性のあるストリップ状の支持体は、コントローラ及び／又は駆動回路により供給された電力及び信号を異なる光源に供給するための導電性トラックを備えることがある。
【００３５】
本発明の更なる態様に従うと、前述の実施形態のうちの１つに従った照明アセンブリを備える照明器具が提供される。本発明のこの更なる態様に従った照明器具は、本発明の第１の態様に従った照明アセンブリと同じ利点を提供し、照明アセンブリの対応する実施形態と類似の効果を有する類似の実施形態を有する。
【００３６】
任意選択的に、照明器具は、空間的に離れた複数の位置から光を放射するように構成される。空間的に離れた複数の位置に、光源の少なくとも１つのグループが設けられる。任意選択的に、照明器具は、光源の少なくとも１つのグループを有する空間的に離れた位置から、光ビームを放射するように構成される。前述したように、単一のタイプの光源に等しい制御信号（例えば、全ての第１の光源に対して１つの制御信号）を供給する単一のコントローラによって全てのグループが制御される場合には、異なるグループの光源間で、製造公差が許容され得る。照明器具が複数の光ビームを放射するとき、各グループにより放射される光のカラーポイントの僅かな差はあまり目に見えず、従って、光源の特性における比較的に大きな偏差、例えば、光源が放射する最大光束における比較的に大きな偏差は許容され得る。
【００３７】
本発明の最後の態様に従うと、第１の光源、第２の光源、及び第３の光源の複数のグループを備える照明アセンブリの製造方法が提供される。
【００３８】
この方法は、第１の光源のセットを受け取ることを含む。第１の光源は、第１のカラーポイントと第１の相関色温度とを有する第１の光を放射するように構成される。第１のカラーポイントは、黒体線から７ＳＤＣＭ以内にある。第１の相関色温度は、５０００ケルビンよりも高い。
【００３９】
この方法は、第２の光源のセットを受け取ることを更に含む。第２の光源は、第２のカラーポイントと第２の相関色温度とを有する第２の光を放射するように構成される。第２のカラーポイントは、黒体線から７ＳＤＣＭ以内にある。第２の相関色温度は、２２５０ケルビンよりも低い。
【００４０】
この方法は、第３の光源のセットを受け取ることも含む。第３の光源は、半空間ｙ＞＝１．０４ｘとｙ＞＝−０．０６９４ｘ＋０．４５２５との共通部分内の、ＣＩＥ１９３１ＸＹＺ色空間内に第３のカラーポイントを有する緑色をおびた光を放射するように構成される。各第３の光源は、所定の標準動作条件の下で、固有の最大光束を放射することができる。個々の第３の光源のそれぞれの固有の最大光束は、第３の光源のセットの全ての第３の光源の平均最大光束から最大で３５％ずれており、複数の第３の光源のうちの少なくとも１つの固有の最大光束は、平均最大光束から１０％より多くずれる。
【００４１】
この方法は、光源のグループを形成することを更に含む。このグループのそれぞれは、第１の光源のセットのうちの１つの第１光源と、第２の光源のセットのうちの１つの第２の光源と、光源のグループのうちの１つの第３の光源と、を含む。
【００４２】
この方法は、光源のグループを照明アセンブリに組み立てることも含む。
【００４３】
この方法は、コントローラを照明アセンブリに組み込み、それを光源のグループの光源に結合することを含む。コントローラは、第１の光源を制御するための第１の制御信号と、第２の光源を制御するための第２の制御信号と、第３の光源を制御するための第３の制御信号とを生成するように構成され、第１の制御信号、第２の制御信号、及び第３の制御信号は、それぞれ、第１の光源、第２の光源、及び第３の光源により放射されるべき光量を指示する。コントローラは、前述のそれぞれの制御信号を生成して、第１の光、第２の光、及び第３の光を含む合成された発光を使用時に得るように構成される。合成された発光は、黒体線の近くにある相関色を有する制御可能なカラーポイントを有する。
【００４４】
本発明のこの態様に従った方法は、前述した照明アセンブリと同じ利点を提供し、照明アセンブリの対応する実施形態と類似の効果を有する類似の実施形態を有する。
【００４５】
本発明のこれらの及び他の態様が、以降に記載される実施形態から明らかであり、以降に記載される実施形態を参照して説明される。
【００４６】
本発明の上述した選択肢、実装、及び／又は態様のうちの２つ以上が、有用と思われる任意の方法で組み合わされることができることが、当業者により理解されるであろう。
【００４７】
照明アセンブリの記載された修正及び変形に対応する、照明アセンブリ、ＬＥＤストリップ、照明器具、及び／又は方法の修正及び変形が、本明細書に基づいて当業者により実行されることができる。
【図面の簡単な説明】
【００４８】
【図１ａ】照明アセンブリの実施形態を断面図で概略的に示す。
【図１ｂ】照明アセンブリの光源のカラーポイントが概略的に示されている、ＣＩＥ１９３１ＸＹＺ色空間を概略的に示す。
【図２ａ】ＬＥＤストリップの実施形態の上面図を概略的に示す。
【図２ｂ】照明器具の実施形態を概略的に示す。
【図３】照明アセンブリの製造方法を概略的に示す。
【発明を実施するための形態】
【００４９】
異なる図中で同一の参照番号により示される項目は、同一の構造的特徴及び同一の機能を有しているか、又は同じ信号であることに、留意されたい。そのような項目の機能及び／又は構造が説明済みである場合、詳細な説明においてそれらについて繰り返し説明する必要はない。
【００５０】
図は純粋に概略のものであり、正確な縮尺で描かれていない。特に明確にするために、幾つかの寸法は強く誇張されている。
【００５１】
第１の実施形態が図１ａに示されている。図１ａは、照明アセンブリ１００の実施形態を断面図で概略的に示している。照明アセンブリ１００は、コントローラ１４０、第１の光源１１０、第２の光源１２０、及び第３の光源１３０を備える。コントローラ１４０、第１の光源１１０、第２の光源１２０、及び第３の光源１３０は、例えばプリント回路基板などの支持体１０２上に任意選択的に設けられる。任意選択的に、照明アセンブリ１００は、使用時に、第１の光源１１０、第２の光源１２０、及び／又は第３の光源１３０が光を放射する光出射窓（図示せず）を備えるハウジング（図示せず）を備える。
【００５２】
第１の光源１１０は、第１のカラーポイントと第１の相関色温度とを有する第１の光１１１を放射するように構成される。第１のカラーポイントは、例えば、ＣＩＥ１９３１ＸＹＺ色空間などの特定の色空間内のカラーポイントである。色空間において、黒体線は、異なる温度を有する黒体放射体の発光のカラーポイントを表す。第１のカラーポイントは、黒体線から７ＳＤＣＭ（等色標準偏差）以内にある。第１の相関色温度は５０００ケルビンより大きく、例えば、５５００ケルビン、６０００ケルビン、又は６３００ケルビンである。任意選択的に、第１の相関色温度は６０００ケルビンより大きい。従って、第１の光１１１は、比較的に高い相関色温度の実質的な白色光である。しばしば「冷たい白色光」という用語を用いてこの光を指す。
【００５３】
任意選択的に、第１の光源１１０は、例えば青色光を放射しかつ発光材料（別個には図示せず）を含む固体発光体（別個には図示せず）を備え、この発光材料は、固体発光体により放射される光の少なくとも一部を、例えば黄色及び／又はオレンジ色の光などの別の色の光に変換する。吸収されない固体発光体により放射される光の一部と、別の色の放射された光との合成が、上述した特性を有する第１の光１１１をもたらすように、発光材料の特定の量が選択される。任意選択的に、第１の光源１１０は、それぞれが任意選択的に発光材料を備える複数の固体発光体を含む。上述した発光材料は、単一の発光材料であってもよく、又は発光材料の混合物であってもよい。今日では、合成光が第１の光源１１０の特性を有するように発光材料を備えた発光ダイオード（ＬＥＤ）を容易に購入することができる。別の実施形態では、第１の光源１１０は、任意選択的に発光材料を備える複数の固体発光体も含む−これらの複数の固体発光体の合成された発光は、第１の光源１１０の発光に対する上述の要件を満たす。
【００５４】
第２の光源１２０は、第２のカラーポイントと第２の相関色温度とを有する第２の光１２１を放射するように構成される。第２のカラーポイントは、例えば、ＣＩＥ１９３１ＸＹＺ色空間などの特定の色空間内のカラーポイントである。第２のカラーポイントは、黒体線から７ＳＤＣＭ（等色標準偏差）以内にある。第２の相関色温度は２２５０ケルビンより小さく、例えば、２１５０ケルビン、２１００ケルビン、又は２２００ケルビンである。任意選択的に、第２の相関色温度は、２１００ケルビンよりも小さい。従って、第２の光１２１は、比較的に低い相関色温度の実質的な白色光である。しばしば「暖かい白色光」という用語を用いてこの光を指す。
【００５５】
任意選択的に、第２の光源１２０は、例えば青色光を放射しかつ発光材料（別個には図示せず）を含む固体発光体（別個には図示せず）を備え、この発光材料は、固体発光体により放射される光の少なくとも一部を、例えば黄色及び／又はオレンジ色の光などの更に別の色の光に変換する。吸収されない固体発光体により放射される光の一部と、更に別の色の放射された光との合成が、上述した特性を有する第２の光１２１をもたらすように、発光材料の特定の量が選択される。任意選択的に、第２の光源１２０は、それぞれが任意選択的に発光材料を備える複数の固体発光体を含む。上述した発光材料は、単一の発光材料であってもよく、又は発光材料の混合物であってもよい。今日では、合成光が第２の光源１２０の特性を有するように発光材料を備えた発光ダイオード（ＬＥＤ）を容易に購入することができる。別の実施形態では、第２の光源１２０は、任意選択的に発光材料を備える複数の固体発光体も含む−これらの複数の固体発光体の合成された発光は、第２の光源１２０の発光に対する上述の要件を満たす。
【００５６】
第３の光源１３０は、緑色をおびた光１３１を放射するように構成される。緑色をおびた光は、半空間ｙ＞＝１．０４ｘとｙ＞＝−０．０６９４ｘ＋０．４５２５の共通部分である領域の内部の、ＣＩＥ１９３１ＸＹＺ色空間内に、第３のカラーポイントを有する。共通部分である領域は、少なくとも緑色成分を有し、従って、緑色をおびた光に関係する発光のカラーポイントに関係する。緑色をおびた光という用語は、本明細書のコンテキストでは、ＣＩＥ１９３１ＸＹＺ色空間の領域によって規定される。
【００５７】
任意選択的に、第３の光源１３０は、緑色光を放射する固体発光体ダイを備える−そのとき、第３のカラーポイントは、０．６５よりも大きなｙ値を有し、従ってほぼ純粋な濃い緑色光と関係する。第３の光源１３０は、そのような緑色光を放射する複数の固体発光体ダイを含んでもよい。
【００５８】
任意選択的に、第３の光源１３０は、例えば青色光などの特定の色の光を放射しかつ発光材料（別個には図示せず）を含む固体発光体（別個には図示せず）を備え、この発光材料は、固体発光体により放射される光の少なくとも一部を、例えば緑色又はライム色の光などの別の色の光に変換する。吸収されない固体発光体により放射される光の一部と、別の色の放射された光との合成が、上述した特性を有する第３の光１３１をもたらすように、発光材料の特定の量が選択される。任意選択的に、第３の光源１３０は、それぞれが任意選択的に発光材料を備える複数の固体発光体を含む。上述した発光材料は、単一の発光材料であってもよく、又は発光材料の混合物であってもよい。
【００５９】
コントローラ１４０は、上述した光源１１０、１２０、１３０の発光を制御するために、使用時に、第１の制御信号１４１、第２の制御信号１４２、及び第３の制御信号１４３を生成するように構成される。第１の制御信号１４１、第２の制御信号１４２、及び第３の制御信号１４３は、それぞれ、第１の光源１１０、第２の光源１２０、及び第３の光源１３０により放射されるべき光量を示す。コントローラは、光源１１０、１２０、１３０が制御信号１４１、１４２、１４３により制御されると、黒体線に近いカラーポイントを有する合成された発光を照明アセンブリが放射するように制御信号を生成するように、構成される。コントローラは、合成された発光の相関色温度が制御されるようにカラーポイントの位置を制御するように、構成される。既知の光源制御技術が、コントローラ１４０で実装されることでもよい。そのような技術は、今日、例えば、Ｐｈｉｌｉｐｓ  Ｈｕｅ（登録商標）電灯などの色調整可能な照明機器に実装されている。コントローラ１４０は、光源１１０、１２０、１３０の特性についての何らかの情報、例えば、それらの（推定）カラーポイント、及びそれらが放射することができる（推定）最大光束などを、事前に（例えば、製造中又は製造直後に）受け取っている。この情報は、特定の量の冷たい白色光、特定の量の暖かい白色光、及び特定の量の緑色をおびた光が放射されて、それらが一緒になって、黒体線上に又は黒体線の近くにカラーポイントを有するように、例えば、最大光束の何パーセントで光源が光を放射しなくてはならないかを制御することにより光源１１０、１２０、１３０の発光を制御するために、使用される。コントローラ１４０は、例えば、（第１の色温度と第２の色温度との間の）どの相関色温度で照明アセンブリが実質的な白色光を放射しなくてはならないかを示す信号を受信する入力も有する。この入力は、第１の光と第２の光とがどの比率で混合されなくてはならないか（これは、黒体線の下方に位置するカラーポイントをもたらす）、また、合成された発光のカラーポイントを黒体線の近く又は黒体線の上の位置に向けて上方向に移動させるために、どの位の量の緑色をおびた光が放射されなくてはならないかを決定するために、コントローラ１４０により使用される。それによって、照明アセンブリは、例えば第１の色温度から第２の色温度までなど、比較的に広範囲の相関色温度に沿って、実質的な白色光を放射することができる。
【００６０】
図１ａは、ハウジング無しの照明アセンブリ１００を示す。実際の実施形態では、照明アセンブリ１００は、例えば後付けの電球などのハウジング（図示せず）内に設けられ、主電源入力電力を低電圧レベルの電力信号に変換するための回路（図示せず）などの他の電子部品も有することがある。
【００６１】
図１ｂは、照明アセンブリの光源のカラーポイントが概略的に示されている、ＣＩＥ１９３１ＸＹＺ色空間１５２を概略的に示す。図１５０には、ＣＩＥ１９３１ＸＹＺ色空間１５２が描かれている。線１５４は、単一波長での光エネルギーを含む発光スペクトルのカラーポイントを表す、モノラインである。色空間１５２には、黒体線１５６も描かれている。カラーポイント１５８は、前述した第１の光源のカラーポイントの一例である。カラーポイント１５８は、６５００Ｋの相関色温度を有する発光を表し、黒体線１５６上に又は黒体線１５６の非常に近く（これは、黒体線１５６から少なくとも７ＳＤＣＭ以内を意味する）に位置する。カラーポイント１６２は、前述した第２の光源のカラーポイントの一例である。カラーポイント１６２は、２０００Ｋの相関色温度を有する発光を表し、黒体線１５６上に又は黒体線１５６の非常に近く（これは、黒体線１５６から少なくとも７ＳＤＣＭ以内を意味する）に位置する。
【００６２】
第３の光源のカラーポイントは、領域１６６の内部にある。領域１６６は、色空間１５２全体の下位領域であり、線ｙ＝１．０４ｘ及びｙ＝−０．０６９４ｘ＋０．４５２５の両方の上方に位置する。換言すると、領域１６６は、半空間ｙ＞＝１．０４ｘとｙ＞＝−０．０６９４ｘ＋０．４５２５（とＣＩＥ１９３１ＸＹＺ色空間１５２）との共通部分である。従って、領域１６６は、緑色をおびた光のカラーポイントを表す。
【００６３】
一実施形態では、第３の光源は、緑色を放射する固体発光体ダイである。これは、例えば、座標（ｘ、ｙ）＝（０．１８１、０．７１５）を有するカラーポイント１７０である。一実施形態では、第３のカラーポイントは、図１ｂに示されるように、領域１７２の内部にある。任意選択的に、領域１７２は、角のポイントが（ｘ、ｙ）＝（０．１２９、０．７４０）、（ｘ、ｙ）＝（０．２３８、０．７４０）、（ｘ、ｙ）＝（０．２４３、０．７００）、及び（ｘ、ｙ）＝（０．１４６、０．６９６）であるポリゴンによって規定される。
【００６４】
一実施形態では、第３の光源はライム色光を放射する。そのような発光は、固体発光体を適切な発光材料と組み合わせることにより得ることができる。そのような光源のカラーポイントは、座標（ｘ、ｙ）＝（０．４０８、０．５３８）を有するカラーポイント１９０である場合がある。一実施形態では、第３の光源がライム色光を放射する場合に、第３のカラーポイントは図１ｂに示されるように領域１９２の内部にある。任意選択的に、領域１９２は、角のポイントが（ｘ、ｙ）＝（０．３８２、０．５０６）、（ｘ、ｙ）＝（０．３９７、０．４９９）、（ｘ、ｙ）＝（０．４３４、０．５６７）、及び（ｘ、ｙ）＝（０．４２１、０．５８２）であるポリゴンによって規定される。
【００６５】
一実施形態では、第３の光源は、人間の裸眼で見たときに緑色の兆候を有するオフホワイトの光を放射する。この出願の後ほどでは、この光の色は、緑色をおびたオフホワイト光により示される。そのような発光は、固体発光体を適切な発光材料と組み合わせることにより得ることができる。そのような光源のカラーポイントは、座標（ｘ、ｙ）＝（０．３７６、０．４５４）を有するカラーポイント１８０である場合がある。一実施形態では、第３の光源が緑色をおびたオフホワイト光を放射する場合に、第３のカラーポイントは図１ｂに示されるように領域１８２の内部にある。任意選択的に、領域１８２は、角のポイントが（ｘ、ｙ）＝（０．３８８、０．４９６）、（ｘ、ｙ）＝（０．４０１、０．４８７）、（ｘ、ｙ）＝（０．３６５、０．４１５）、及び（ｘ、ｙ）＝（０．３５０、０．４２０）であるポリゴンによって規定される。
【００６６】
図１ｂでは、第１の光源及び第２の光源の両方が特定の量の光を放射するとき、合成された発光は、黒体線から離れたカラーポイント（カラーポイント１５８、１６２を通る直線のポイント）を有することがわかる。従って、特定の量の緑色をおびた光（領域１６６内にカラーポイントを有する）も放射することにより、第１の光源から第３の光源までの合成された発光のカラーポイントは、黒体線１５６に向かって移動する。コントローラは、合成された発光のカラーポイントが黒体線の近く、例えば黒体線から７ＳＤＣＭ以内などになるように、（黒体線上の要求されたカラーポイントについての知識に基づいて）放射される緑色をおびた光の量を制御する。
【００６７】
光源１１０、１２０、１３０のそれぞれは、所定の標準動作条件の下で、ほぼ固有の最大光束を放射することができる。製造業者は、個々の光源１１０、１２０、１３０のそれぞれについて、固有の最大光束が幾らであるのかを示すことがあり、また、製造業者は、光源１１０、１２０、１３０について、これらのタイプの光源の最大光束の平均を表す最大光束値のみを示すことがある。個別に供給される光源１１０、１２０、１３０により放射されることができる最大光束は、示された最大光束から（ある限度内で）ずれることがある。一般的に、特定の第１の光源１１０及び特定の第２の光源１２０は、照明アセンブリが、合成された所定の最大光束で実質的な白色光を放射することができるように、選択される。前に議論したように、第３の光源は、合成された発光が黒体線上にカラーポイントを有するように、第１及び第２の光源の発光を補正するのに十分な量の緑色をおびた光を放射しなくてはならない。この補正を得るために、第３の光源は、第１の光源及び第２の光源ほど強力でなくてもよい。シミュレーションは、第３の光源１３０が緑色を放射する固体発光体ダイである場合、第３の光源１３０の最大光束は、第１の光源１１０の最大光束と第２の光源１２０の最大光束との合計の約１３％であることを、示した。第３の発光体１３０が、図１ｂのコンテキストで議論されたように、ライム色光を放射する場合、第３の光源１３０の最大光束は、第１の光源１１０の最大光束と第２の光源１２０の最大光束との合計の約２８％であることも、示された。シミュレーションにより、第３の光源１３０が、図１ｂのコンテキストで議論されたように、緑色をおびたオフホワイト光を放射する場合、第３の光源１３０の最大光束は、第１の光源１１０の最大光束と第２の光源１２０の最大光束との合計の約４３％であることが、更に示された。従って、第３の光源１３０を追加することはコストを大幅に増加させない、というのも、第３の光源１３０は（第１の光源及び第２の光源に比べて）非常に強力な光源である必要がないからである。各光源が複数の発光ダイオード（ＬＥＤ）を含む（第１の光源及び第２の光源については、発光材料も含む）と想定される場合には、第１の光源及び第２の光源に対してよりも、第３の光源に対してより少数のＬＥＤが必要とされることを示すものとして、ＬＥＤ数も使用され得る。ＬＥＤ数がパラメータとして使用される場合、ＬＥＤは同じタイプの青色発光ＬＥＤダイであり、ほぼ同じダイサイズを有するものと仮定される。緑色発光ＬＥＤダイは、ＬＥＤ及び発光材料を備える第１及び第２の光源とほぼ同じ効率を有する。従って、緑色を放射する固体発光体用のＬＥＤ数は、第１及び第２の光源内のＬＥＤ数の合計の約１３％である。ライム色光又は緑色をおびたオフホワイト光を放射する第３の光源は、第１及び第２の光源よりも約１．５倍効率がよい。従って、第３の光源がライム色光又は緑色をおびたオフホワイト光を放射する場合、第３の光源用のＬＥＤ数は、第１の光源及び第２の光源のＬＥＤ数の合計の、それぞれ約１８％又は２８％である。これらの数値は、６５００ケルビンの相関色温度を有する第１の光源を有し、かつ、２０００ケルビンの相関色温度を有する第２の光源を有する、照明アセンブリに少なくとも当てはまる。
【００６８】
第３の光源に使用され得る発光材料は、有機蛍光体、無機蛍光体、及び、量子閉じ込めを示し少なくとも１つの寸法がナノメートル範囲のサイズを有する粒子、のうちの１つであってもよく、そのような粒子の例としては、量子ドット、量子ロッド、及び量子テトラポッドがある。
【００６９】
より具体的には、適切な無機蛍光体の例としては、以下がある。
−  Ｌｕ１−ｘ−ｙ−ａ−ｂＹｘＧｄｙ）３（Ａｌ１−ｚ−ｕＧａｚＳｉｕ）５Ｏ１２−ｕＮｕ：ＣｅａＰｒｂ、但し、０≦ｘ≦１、０≦ｙ≦１、０＜ｚ≦０．１、０≦ｕ≦０．２、０＜ａ≦０．２、及び０＜ｂ≦０．１、例えば、Ｌｕ３Ａｌ５Ｏ１２：Ｃｅ３＋及びＹ３Ａｌ５Ｏ１２：Ｃｅ３＋、
−  例えば、ＳｒＳｉ２Ｎ２Ｏ２：Ｅｕ２＋、及びＢａＳｉ２Ｎ０．６７Ｏ４：Ｅｕ２＋を含む、（Ｓｒ１−ａ−ｂ−ｃＣａｂＢａｃ）ＳｉｘＮｙＯｚ：Ｅｕａ２＋、但し、ａ＝０．００２−０．２、ｂ＝０．０−０．２５、ｃ＝０．０−１．０、ｘ＝１．５−２．５、ｙ＝０．６７−２．５、ｚ＝１．５−４、
−  例えば、ＳｒＧａ２Ｓ４：Ｅｕ２＋を含む、（Ｓｒ１−ｕ−ｖ−ｘＭｇｕＣａｖＢａｘ）（Ｇａ２−ｙ−ｚＡｌｙＩｎｚＳ４）：Ｅｕ２＋、
−  例えば、ＢａＳｒＳｉＯ４：Ｅｕ２＋を含む、（Ｓｒ１−ｘＢａｘ）２ＳｉＯ４：Ｅｕ、但し、０＜ｘ≦１、Ｃａ３Ｓｃ２Ｓｉ３Ｏ１２：Ｃｅ３＋などの、（Ｃａ１−ｘ−ｙ−ａ−ｂＹｘＬｕｙ）３（Ｓｃ１−ｚＡｌｚ）２（Ｓｉ１−ｘ−ｙＡｌｘ＋ｙ）３Ｏ１２：ＣｅａＰｒｂ、但し、０≦ｘ≦１、０≦ｙ≦１、０＜ｚ≦１、０≦ｕ≦０．２、０＜ａ≦０．２、及び０＜ｂ≦０．１。
【００７０】
適切な無機発光材料の他の例としては、以下がある。ＳＳＯＮＥ  （ＳｒＳｉ（２）Ｎ（２）Ｏ（２）：Ｅｕ）、ＳＩＡＩＯＮ  （ＳｒＳｉ（２）Ｎ（２）Ｏ（２）：Ｅｕ）、ＳＡＥ  （Ｓｒ４Ａｌ１４Ｏ２５：Ｅｕ）、ＧａＹＡＧ  （（ＹｘＧａ（１−ｘ））３Ａｌ５Ｏ１２：Ｅｕ）、明るい緑色の量子ドット、ＢＡＭ：Ｍｎ（ＢａＭｇＡｌ１０Ｏ１７：Ｍｎ）、ＢＢＧ  （ＢａＭｇＡｌ１０Ｏ１７：Ｅｕ，Ｍｎ）、ＢＳＯＮＥ  （ＢａＳｉ（２）Ｎ（２）Ｏ（２）：Ｅｕ）、及び異なるケイ酸塩  （Ａ２Ｓｉ（ＯＤ）４：Ｅｕ、但し、Ａ＝Ｓｒ、Ｂａ、Ｃａ、Ｍｇ、Ｚｎ及びＤ＝Ｆ、Ｃｌ、Ｓ、Ｎ、Ｂｒ、ＢＯＳＥ＝（ＳｒＢａＣａ）２ＳｉＯ４：Ｅｕ、（Ｂａ２ＭｇＳｉ２Ｏ７：Ｅｕ２＋，Ｂａ２ＳｉＯ４：Ｅｕ２＋）、（Ｃａ，Ｃｅ）３（Ｓｃ，Ｍｇ）２Ｓｉ３Ｏ１２。
【００７１】
より具体的には、有機蛍光体の例としては、ルモゲンＦ物質０８３（黄色）、１７０（黄色）、８５０（緑色）などのぺリレン誘導体などの緑色発光有機色素がある。
【００７２】
適切な量子ドットには、硫化カドミウム（ＣｄＳ）及び硫化亜鉛（ＺｎＳ）などのシェルを有するセレン化カドミウム（ＣｄＳｅ）、又は、リン化インジウム（ＩｎＰ）及び硫化銅インジウム（ＣｕＩｎＳ２）及び／若しくは硫化銀インジウム（ＡｇＩｎＳ２）などのカドミウムの無い量子ドットがある。
【００７３】
第３の光源は、緑色をおびた光を放射する発光材料のみを有することでもよいが、第３の光源は赤色をおびた光を放射する発光材料も少量含んでもよい−勿論、第３の光源により放射される合成光は、領域１６６内になくてはならない。
【００７４】
図２ａは、ＬＥＤストリップ２００の実施形態の上面図を概略的に示す。ＬＥＤストリップ２００は、前述した照明アセンブリを含む。図１ａの照明アセンブリは、１つの第１の光源と、１つの第２の光源と、１つの第３の光源とを備えている。ＬＥＤストリップ２００には、複数の第１の光源２１０と、複数の第２の光源２２０と、複数の第３の光源２３０と、がある。これらの複数の第１光源２１０、第２の光源２２０、及び第３の光源２３０のそれぞれは、図１ａのコンテキストで議論されたような、第１、第２、及び第３の光源としての特性を有する。これらの光源は、光源のグループ２９０〜２９６に細別される。光源の各グループ２９０〜２９６は、１つの第１の光源２１０、１つの第２の光源２２０、及び１つの第３の光源２３０を備える。この実施形態では、光源のグループ２９０〜２９６のそれぞれにおける光源２１０、２２０、２３０のそれぞれが、任意選択的に発光材料を備える発光ダイオード（ＬＥＤ）を含んでもよい。
【００７５】
各第３の光源は、第３の光源の固有の冷却が与えられると、かつ、第３の光源に対する特定の所定の供給電圧又は供給電流が与えられると、特定の温度下などの所定の標準動作条件の下で、固有の最大光束を放射することができる。しばしば、使用される光源は区分けされ、固有の最大光束の変動は限られている、というのも、ＬＥＤストリップの製造業者は、そうしなければ光源の異なるグループ２９０〜２９６の間で、色の違いが目に見えると信じているからである。この出願の照明アセンブリの特定の使用において、より具体的には、光源の複数のグループ２９０〜２９６を有する照明アセンブリに関連して、特徴的な「所定の標準動作条件の下で放射される最大光束」については、はるかに大きな変動が許容され得ることを、シミュレーションが示した。個々の第３の光源２３０のそれぞれの固有の最大光束は、光源の複数のグループ２９０〜２９６の全ての第３の光源２３０の平均最大光束から、最大で３５％ずれてもよいことが、示された。第３の光源２３０のうちの少なくとも１つが、実際に、平均最大光束から少なくとも１０％ずれると想定されることに、留意されたい。従って、ＬＥＤストリップ２００が製造される際、第３の光源の製造業者は、第３の光源を区分けする必要はなく、従って、第３の光源の価格はより低くなり、従って、ＬＥＤストリップ２００はより低い原価で製造されることができる。
【００７６】
任意選択的に、各第１の光源２１０は、所定の標準動作条件の下で、更なる固有の最大光束を放射することができる。第１の光源２１０に対する所定の標準動作条件は、例えば、第１の光源２１０が別の電圧で動作しなくてはならない場合、又は第１の光源２１０に別の電流が印加されなくてはならない場合には、第３の光源２３０の所定の標準動作条件とは異なることがある。個々の第１の光源のそれぞれの更なる固有の最大光束は、複数のグループの全ての第１の光源２１０の更なる平均光束から、最大で２０％ずれる。第１の光源２１０のうちの少なくとも１つの更なる固有の最大光束は、更なる平均最大光束から７．５％より大きくずれることが想定される。従って、所定の標準動作条件の下で放射される特徴的な最大光束に比べて比較的に小さな区間に、第１の光源２１０を区分けする必要はない。
【００７７】
任意選択的に、各第２の光源２２０は、所定の標準動作条件の下で、別の固有の最大光束を放射することができる。第２の光源２２０に対する所定の標準動作条件は、例えば、第２の光源２２０が別の電圧で動作しなくてはならない場合、又は第２の光源２２０に別の電流が印加されなくてはならない場合には、第３の光源２３０又は第２の光源２２０の所定の標準動作条件とは異なることがある。個々の第２の光源２２０のそれぞれの別の固有の最大光束は、複数のグループの全ての第２の光源の別の平均光束から、最大で２０％ずれる。第２の光源２２０のうちの少なくとも１つの別の固有の最大光束は、別の平均最大光束から７．５％より大きくずれることが想定される。従って、所定の標準動作条件の下で放射される特徴的な最大光束に比べて比較的に小さな区間に、第２の光源２２０を区分けする必要はない。
【００７８】
ＬＥＤストリップ２００は、図１ａのコントローラ１４０と同じ特性を有するコントローラ２４０を備える。コントローラ２４０は、第１の光源２１０、第２の光源２２０、及び第３の光源２３０から放射される光量をそれぞれ制御するための３つの制御信号２４１〜２４３を提供する。制御信号２４１〜２４３は、例えば、それぞれの光源２１０、２２０、２３０の最大放射可能光束の何パーセントが放射されなくてはならないかを示す−そのような値は、任意選択的に、デューティサイクル値の形式で提供されてもよい。ＬＥＤストリップ２００は、任意選択的に、制御信号２４１〜２４３を受け取り、光源２１０、２２０、２３０を駆動するための駆動信号２４６〜２４８を生成する、駆動回路２４５を備える。一実施形態では、駆動回路２４５は、パルス幅変調技術に従って変調された駆動信号２４６〜２４８を生成する。光源の各グループ２９０〜２９６の第１の光源２１０のそれぞれは、同じ駆動信号を受信し、等しい態様で制御される。光源の各グループ２９０〜２９６の第２の光源２２０のそれぞれは、同じ駆動信号を受信し、等しい態様で制御される。光源の各グループ２９０〜２９６の第３の光源２３０のそれぞれは、同じ駆動信号を受信し、等しい態様で制御される−なお、第３の光源は、放射可能な最大光束に対して比較的に大きな偏差を有することがあり、従って、光源の各グループ２９０〜２９６の第３の光源２３０のそれぞれは、使用時に僅かに異なる光束を放射することに、留意されたい。シミュレーションは、光源の各グループ２９０〜２９６の合成された発光が、黒体線から許容可能な閾値以内にあり、その結果、人間の裸眼は、各グループ２９０〜２９６の合成された発光の間で、大きな違いを知覚しないことを示した。従って、ＬＥＤストリップ２００が製造される際、標準動作条件の下での特徴的な「最大放射可能光束」に従って区分けされた、区分け済第３の光源を使用する必要はない。
【００７９】
各グループ２９０〜２９６の光源２１０、２２０、２３０、コントローラ２４０、及び任意選択的な駆動回路２４５は、可撓性のある支持ストリップ２０１上に設けられてもよい。可撓性のある支持ストリップ２０１は、駆動信号２４６〜２４８を光源２１０、２２０、２３０に運ぶための導電性トラックを含んでもよい。
【００８０】
上記では、光源のうちの一部のものの固有の最大光束（又は放射される光のカラーポイントさえも）は、光源用のこれらのパラメータの平均に対してずれている場合があることを想定して議論した。実際の実施形態では、使用される光源はＬＥＤストリップに組み立てられる前に区分けされず、従って、それらの特性値（所定の動作条件の下での最大光束、及び／又は放射光のカラーポイントなど）は、特定の最大値及び特定の最小値を有するある範囲内でずれることを意味する。この特定の最大値及び特定の最小値は、光源が区分けされたときよりも、更に間隔が離れている。
【００８１】
光源の各グループ２９０〜２９６は、第１の光源、第２の光源、及び第３の光源よりも多くを含んでもよいことに、留意されたい。例えば、他の光源又はＬＥＤが、どのグループにも備えられていてもよい。特定の実施形態では、各グループは、上述したように第１の光源及び第２の光源を設けることにより、かつ、緑色、青色、及び赤色を放射するＬＥＤを含む光源を設けることにより、構築され、少なくとも緑色を放射するＬＥＤが、上述したようにコントローラにより制御される。
【００８２】
図２ｂは、照明器具２５０の実施形態を概略的に示す。照明器具は、例えば、部屋の壁又は天井に結合されることがあるハウジング２５１を備える。照明器具２５０は、使用時に制御信号２４１〜２４３を生成するコントローラ２４０と、使用時に駆動信号２４６、２４７、２４８を生成する任意選択的な駆動回路２４５と、光源の３つのグループ２９７〜２９９とを備える。照明器具のこれらの要素は、図２ａのコンテキストで議論された対応する要素と同様である。照明器具の例は、３つのリフレクタ２８５〜２８７を備え、リフレクタ２８５〜２８７のそれぞれには、光源のグループ２９７〜２９９の単一のグループが設けられている。光源の単一のグループを有する１つのリフレクタは、この１つのリフレクタが向けられている方向に、光ビームを放射するように構成される。照明器具の可能な実施形態は、リフレクタを備える照明器具に限定されない。光源の複数のグループが内部に設けられる他の照明器具が、前述した照明アセンブリの実施形態を備えていてもよい。
【００８３】
図３は、各グループが第１の光源、第２の光源、及び第３の光源を含む複数の光源グループを備える照明アセンブリの製造方法３００を概略的に示している。この方法３００は、以下を含む、即ち、ｉ）第１の光源のセットを受け取るステップ３０２であって、第１の光源は第１のカラーポイント及び第１の相関色温度を有する第１の光を放射するように構成され、第１のカラーポイントは黒体線から７ＳＤＣＭ以内にあり、第１の相関色温度は５０００ケルビンよりも高い、ステップ３０２と、ｉｉ）第２の光源のセットを受け取るステップ３０４であって、第２の光源は第２のカラーポイント及び第２の相関色温度を有する第２の光を放射するように構成され、第２のカラーポイントは黒体線から７ＳＤＣＭ以内にあり、第２の相関色温度は２２５０ケルビンよりも低い、ステップ３０４と、ｉｉｉ）第３の光源のセットを受け取るステップ３０６であって、第３の光源は半空間ｙ＞＝１．０４ｘとｙ＞＝−０．０６９４ｘ＋０．４５２５との共通部分内部のＣＩＥ１９３１ＸＹＺ色空間内に第３のカラーポイントを有する緑色をおびた光を放射するように構成され、各第３の光源は所定の標準動作条件の下で固有の最大光束を放射することができ、個々の第３の光源それぞれの固有の最大光束は第３の光源のセットの全ての第３の光源の平均最大光束から最大で３５％ずれる、ステップ３０６と、ｉｖ）光源のグループを形成するステップ３０８であって、グループは、第１の光源のセットのうちの１つの第１の光源と、第２の光源のセットのうちの１つの第２の光源と、光源のグループのうちの１つの第３の光源と、を備える、ステップ３０８と、ｖ）光源のグループを照明アセンブリに組み立てるステップ３１０と、ｖｉ）コントローラを照明アセンブリに組み込み、それを光源のグループの光源に結合するステップ３１２であって、コントローラは前述の光源に対する第１の制御信号、第２の制御信号、及び第３の制御信号を生成するように構成され、第１の制御信号、第２の制御信号、及び第３の制御信号は、それぞれ第１の光源、第２の光源、及び第３の光源により放射される光の量を指示し、コントローラは前述のそれぞれの制御信号を生成して第１の光、第２の光、及び第３の光を含む合成発光を使用時に得るように構成され、合成発光は黒体線に近い制御可能なカラーポイントを有しかつ相関色を有する、ステップ３１２とを含む。
【００８４】
上述した実施形態は、本発明を限定するより説明するものであり、当業者であれば添付の特許請求の範囲から逸脱することなく多くの代替の実施形態を設計することができることに、留意されたい。
【００８５】
特許請求の範囲において、括弧の間に置かれたいかなる参照符号も、特許請求の範囲を限定するものとして解釈されるべきではない。「含む／備える」という動詞及びその活用型の使用は、特許請求の範囲に記載される要素又はステップ以外の要素又はステップの存在を排除するものではない。要素に先行する冠詞「１つの（ａ）」又は「１つの（ａｎ）」は、複数のそのような要素の存在を排除するものではない。本発明は、幾つかの別個の要素を備えるハードウェアによって実装されてもよい。幾つかの手段を列挙する照明アセンブリの請求項において、これらの手段のうちの幾つかは、同一のハードウェアアイテムにより具現化されてもよい。特定の処置が互いに異なる従属請求項に記載されているという単なる事実は、これらの処置の組み合わせが利益を得るように使用され得ないということを示すものではない。
【実施例】
【００８６】
照明アセンブリ、ＬＥＤストリップ、照明器具、及び照明アセンブリの製造方法の実施例が、以下の番号を付された節で規定される。
１．  制御可能な相関色温度の実質的な白色光を放射するための照明アセンブリ（１００）であって、
−  第１のカラーポイント（１５８）及び第１の相関色温度を有する第１の光（１１１）を放射するための第１の光源（１１０）であって、第１のカラーポイント（１５８）は黒体線（１５６）から７ＳＤＣＭ以内にあり、第１の相関色温度は５０００ケルビンよりも大きい、第１の光源（１１０）と、
−  第２のカラーポイント（１６２）及び第２の相関色温度を有する第２の光（１２１）を放射するための第２の光源（１２０）であって、第２のカラーポイント（１６２）は黒体線から７ＳＤＣＭ以内にあり、第２の相関色温度は２２５０ケルビンよりも小さい、第２の光源（１２０）と、
−  緑色をおびた光（１３１）を放射するための第３の光源（１３０）であって、緑色をおびた光（１３１）は半空間ｙ＞＝１．０４ｘとｙ＞＝−０．０６９４ｘ＋０．４５２５との共通部分（１６６）内の、ＣＩＥ１９３１ＸＹＺ色空間内に第３のカラーポイント（１７０、１８０、１９０）を有する、第３の光源（１３０）と、
−  前述の光源（１１０、１２０、１３０）に対する第１の制御信号（１４１）、第２の制御信号（１４２）、及び第３の制御信号（１４３）を生成するためのコントローラ（１４０）と、を備え、第１の制御信号（１４１）、第２の制御信号（１４２）、及び第３の制御信号（１４３）は、それぞれ第１の光源（１１０）、第２の光源（１２０）、及び第３の光源（１３０）により放射されるべき光の量を指示し、コントローラ（１４０）は前述のそれぞれの制御信号（１４１〜１４３）を生成して第１の光（１１１）、第２の光（１２１）及び緑色をおびた光（１３１）を含む合成発光を使用時に得るように構成され、合成発光は黒体線（１５６）の近くに制御可能なカラーポイントを有する、照明アセンブリ（１００）。
２．  第３の光源（１３０）が、ｉ）緑色を放射する固体発光体ダイ、ｉｉ）発光材料を備える固体発光体、のうちの１つを備え、発光材料は、固体発光体により放射される光の一部を別の色の光に変換するように構成され、緑色をおびた光は、固体発光体により放射される光の別の部分と、発光材料により放射される別の色の光との合成である、条項１に記載の照明アセンブリ（１００）。
３．  ＣＩＥ１９３１ＸＹＺ色空間内の第３のカラーポイント（１７０、１８０、１９０）は、
−  角がカラーポイント（ｘ、ｙ）＝（０．１２９、０．７４０）、（ｘ、ｙ）＝（０．２３８、０．７４０）、（ｘ、ｙ）＝（０．２４３、０．７００）、及び（ｘ、ｙ）＝（０．１４６、０．６９６）であるポリゴンによって規定される第１の領域（１７２）
−  角がカラーポイント（ｘ、ｙ）＝（０．３８２、０．５０６）、（ｘ、ｙ）＝（０．３９７、０．４９９）、（ｘ、ｙ）＝（０．４３４、０．５６７）、及び（ｘ、ｙ）＝（０．４２１、０．５８２）であるポリゴンによって規定される第２の領域（１９２）
−  角がカラーポイント（ｘ、ｙ）＝（０．３８８、０．４９６）、（ｘ、ｙ）＝（０．４０１、０．４８７）、（ｘ、ｙ）＝（０．３６５、０．４１５）、及び（ｘ、ｙ）＝（０．３５０、０．４２０）であるポリゴンによって規定される第３の領域（１８２）、のうちの１つの内部にある、先行する条項の何れか一つに記載の照明アセンブリ（１００）。
４．  所定の標準動作条件の下で、第３の光源（１３０）により放射されることができる最大光束は、所定の標準動作条件の下で第１の光源及び第２の光源により放射されることができる最大光束の合計の５０パーセントよりも小さい、先行する条項の何れか一つに記載の照明アセンブリ（１００）。
５．  第１の光源（１１０）及び第２の光源（１２０）のうちの少なくとも１つが固体発光体を備える、先行する条項の何れか一つに記載の照明アセンブリ（１００）。
６．  第１の光源（１１０）が第１の発光材料を含み、かつ／又は第２の光源（１２０）が第２の発光材料を含み、第１の発光材料は第１の光源の発光体により放射される光の一部を第１の他の色の光に変換するように構成され、第１の光は第１の光源の発光体により放射される光の別の部分と第１の発光材料により放射される第１の他の色の光との合成であり、第２の発光材料は第２の光源の発光体により放射される光の一部を第２の他の色の光に変換するように構成され、第２の光は第２の光源の発光体により放射される光の別の部分と第２の発光材料により放射される第２の他の色の光との合成である、先行する条項の何れか一つに記載の照明アセンブリ（１００）。
７．  光源の各グループ（２９０〜２９９）は第１の光源（２１０）、第２の光源（２２０）、及び第３の光源（２３０）を備え、複数のグループの第１の光源は第１の制御信号により制御され、この複数のグループの第２の光源は第２の制御信号により制御され、この複数のグループの第３の光源は第３の制御信号により制御される、光源の複数のグループ（２９０〜２９９）を含む条項４〜６の何れか一つに記載の照明アセンブリ（１００）。
８．  各第３の光源は所定の標準動作条件の下で固有の最大光束を放射することができ、個々の第３の光源のそれぞれの固有の最大光束は、複数のグループの全ての第３の光源の平均最大光束から最大で３５％ずれており、第３の光源のうちの少なくとも１つの固有の最大光束は、平均最大光束から１０％より多くずれている、条項７に記載の照明アセンブリ（１００）。
９．  各第１の光源は所定の標準動作条件の下で更なる固有の最大光束を放射することができ、個々の第１の光源のそれぞれのこの更なる固有の最大光束は、複数のグループの全ての第１の光源の更なる平均光束から最大で２０％ずれており、第１の光源のうちの少なくとも１つの更なる固有の最大光束は、更なる平均最大光束から７．５％より多くずれている、条項８に記載の照明アセンブリ（１００）。
１０．  各第２の光源は所定の標準動作条件の下で別の固有の最大光束を放射することができ、個々の第２の光源のそれぞれのこの別の固有の最大光束は、複数のグループの全ての第２の光源の別の平均光束から最大で２０％ずれており、第２の光源のうちの少なくとも１つの別の固有の最大光束は、別の平均最大光束から７．５％より多くずれている、条項８又は９に記載の照明アセンブリ（１００）。
１１．  前述の光源が固体光源を含む、条項７〜１０の何れか一つに記載の照明アセンブリを備える、ＬＥＤストリップ（２００）。
１２．  前述の光源が可撓性のあるストリップ状の支持体上に設けられている、条項１１に記載のＬＥＤストリップ（２００）。
１３．  条項１〜１０の何れか一つに記載の照明アセンブリ、又は条項１１〜１２の何れか一つに記載のＬＥＤストリップを備える、照明器具（２５０）。
１４．  照明アセンブリは、条項７、８、９、又は１０に記載されるように光源の複数のグループを含み、照明器具は複数の空間的に離れた位置から光を放射するように構成され、この複数の空間的に離れた位置に光源の１つのグループが設けられる、条項１３に記載の照明器具（２５０）。
１５．  各グループが第１の光源、第２の光源、及び第３の光源を含む複数の光源グループを備える照明アセンブリを製造する方法（３００）であって、
−  第１の光源のセットを受け取るステップ（３０２）であって、第１の光源は第１のカラーポイント及び第１の相関色温度を有する第１の光を放射するように構成され、第１のカラーポイントは黒体線から７ＳＤＣＭ以内にあり、第１の相関色温度は５０００ケルビンよりも高い、ステップ（３０２）と、
−  第２の光源のセットを受け取るステップ（３０４）であって、第２の光源は第２のカラーポイント及び第２の相関色温度を有する第２の光を放射するように構成され、第２のカラーポイントは黒体線から７ＳＤＣＭ以内にあり、第２の相関色温度は２２５０ケルビンよりも低い、ステップ（３０４）と、
−  第３の光源のセットを受け取るステップ（３０６）であって、第３の光源は半空間ｙ＞＝１．０４ｘとｙ＞＝−０．０６９４ｘ＋０．４５２５との共通部分内部のＣＩＥ１９３１ＸＹＺ色空間内に第３のカラーポイントを有する緑色をおびた光を放射するように構成され、各第３の光源は所定の標準動作条件の下で固有の最大光束を放射することができ、個々の第３の光源それぞれの固有の最大光束は第３の光源のセットの全ての第３の光源の平均最大光束から最大で３５％ずれる、ステップ（３０６）と、
−  光源のグループを形成するステップ（３０８）であって、グループは、第１の光源のセットのうちの第１の光源と、第２の光源のセットのうちの第２の光源と、光源のグループのうちの第３の光源と、を備える、ステップ（３０８）と、
−  光源のグループを照明アセンブリに組み立てるステップ（３１０）と
−  コントローラを照明アセンブリに組み込み、それを光源のグループの光源に結合するステップ（３１２）であって、コントローラは前述の光源に対する第１の制御信号、第２の制御信号、及び第３の制御信号を生成するように構成され、第１の制御信号、第２の制御信号、及び第３の制御信号は、それぞれ第１の光源、第２の光源、及び第３の光源により放射されるべき光の量を指示し、コントローラは前述のそれぞれの制御信号を生成して第１の光、第２の光、及び第３の光を含む合成発光を使用時に得るように構成され、合成発光は黒体線に近い制御可能なカラーポイントを有しかつ相関色を有する、ステップ（３１２）と、を含む方法。
【図１ａ】
0006679574.tif 000002
【図１ｂ】
0006679574.tif 000003
【図２ａ】
0006679574.tif 000004
【図２ｂ】
0006679574.tif 000005
【図３】
0006679574.tif 000006